(57)【特許請求の範囲】
【請求項１】
並べて配置された複数台の表示装置と、
前記複数台の表示装置に対して操作者がタッチしたときの入力を検知する複数の入力検知装置と、
前記複数台の表示装置と前記複数の入力検知装置とに接続された制御装置と、
を具備し、
前記制御装置は、
複数ページの画像データのうちの、前記複数台の表示装置に対応する表示装置の台数分のページの画像データをそれぞれ前記複数台の表示装置に表示する画像データ表示制御部と、
前記複数台の表示装置のうちの、先にタッチされた表示装置をタッチ有効表示装置とし、それ以外の表示装置をタッチ無効表示装置として割り当てるタッチ有無割当制御部と、
前記タッチ有効表示装置に表示された画像データに対して、タッチにより入力された情報を表す入力情報を反映させる優先入力反映表示制御部と、
を具備することを特徴とする表示システム。
【請求項２】
前記制御装置は、
前記タッチ有効表示装置に対して前記入力情報が入力されている場合、前記タッチ有効表示装置への入力が優先され、かつ、タッチ無効表示装置への入力が無効である旨を表す入力無効通知を、前記タッチ無効表示装置に表示する入力無効通知表示制御部、
を更に具備することを特徴とする請求項１に記載の表示システム。
【請求項３】
前記制御装置は、
前記複数台の表示装置のそれぞれを識別するための複数の表示装置識別情報が格納された記憶部と、
前記タッチ有効表示装置に対して前記入力情報が入力されているときに、前記タッチ無効表示装置のうちの、次にタッチされた表示装置をタッチ候補表示装置として割り当てるタッチ候補割当制御部と、
前記タッチ候補表示装置に表示された画像データに対して次の入力情報が入力された場合、前記複数の表示装置識別情報のうちの、前記タッチ候補表示装置を表す表示装置識別情報に対応付けて、前記次の入力情報を前記記憶部に格納する次入力情報格納制御部と、
前記タッチ有効表示装置に対する前記入力情報の入力が終了した場合、前記記憶部に格納された前記次の入力情報を読み出して、前記タッチ候補表示装置に表示された画像データに対して反映させる次入力反映表示制御部と、
を更に具備することを特徴とする請求項１に記載の表示システム。
【請求項４】
前記タッチ有効表示装置は、前記操作者の指によって、または、前記操作者が使用するペンによって、先にタッチされた表示装置であることを特徴とする請求項１から３のいずれか一項に記載の表示システム。
【請求項５】
前記タッチ有効表示装置は、前記操作者が使用するペンによって、先にタッチされた表示装置であり、
前記ペンによるタッチがない場合、前記タッチ有効表示装置は、前記操作者の指によって、先にタッチされた表示装置であることを特徴とする請求項１から３のいずれか一項に記載の表示システム。
【請求項６】
並べて配置された複数台の表示装置と、前記複数台の表示装置に対して操作者がタッチしたときの入力を検知する複数の入力検知装置とに接続された表示システムの制御装置であって、
複数ページの画像データのうちの、前記複数台の表示装置に対応する表示装置の台数分のページの画像データをそれぞれ前記複数台の表示装置に表示する画像データ表示制御部と、
前記複数台の表示装置のうちの、先にタッチされた表示装置をタッチ有効表示装置とし、それ以外の表示装置をタッチ無効表示装置として割り当てる装置割当制御部と、
前記タッチ有効表示装置に表示された画像データに対して入力された情報を表す入力情報を反映させる優先入力反映表示制御部と、
を具備することを特徴とする表示システムの制御装置。
【請求項７】
複数ページの画像データのうちの、並べて配置された複数台の表示装置に対応する表示装置の台数分のページの画像データをそれぞれ前記複数台の表示装置に表示するステップと、
前記複数台の表示装置のうちの、先にタッチされた表示装置をタッチ有効表示装置とし、それ以外の表示装置をタッチ無効表示装置として割り当てるステップと、
前記タッチ有効表示装置に表示された画像データに対して入力された情報を表す入力情報を反映させるステップと、
を具備することを特徴とする表示方法。
【発明の詳細な説明】
【技術分野】
【０００１】
本発明は、複数台の表示装置に画像データを表示する表示システム、その制御装置、及び、表示方法に関する。
【背景技術】
【０００２】
教材として複数ページの画像データを用いて教室内で授業が行なわれる場合、操作者（例えば、先生）は、複数ページの画像データの各々を１台の表示装置に表示させて、視聴者（例えば、生徒）に対して説明を行なう。例えば、操作者は、１ページ目の画像データを１台の表示装置に表示させて、１ページ目の画像データに対する説明を行なう。その後に、操作者は、２ページ目の画像データを１台の表示装置に表示させて、２ページ目の画像データに対する説明を行なう。これにより、視聴者は、１ページ目の画像データを見ながら、１ページ目の画像データに対する説明を聴くことができ、２ページ目の画像データを見ながら、２ページ目の画像データに対する説明を聴くことができる。
【０００３】
しかしながら、１台の表示装置に表示される画像データは１ページずつ切り替えられるため、視聴者は、複数ページの画像データを一度に見ることができない。すなわち、操作者は、２ページ目の画像データを１台の表示装置に表示させるときに、１台の表示装置に表示される画像データを、１ページ目の画像データから、２ページ目の画像データに切り替えるため、視聴者は、１ページ目の画像データと２ページ目の画像データとを一度に見ることができない。また、操作者が、２ページ目の画像データを１台の表示装置に表示させて、２ページ目の画像データに対する説明を行なっているときに、視聴者のうちの数名は、２ページ目の画像データに対する説明の確認のために、１ページ目の画像データの画面を再度見たい場合がある。このように、視聴者が数ページの画像データを一度に閲覧できることが望まれる。この場合、視聴者に対する画像データの見易さを考慮して、画像データをページ単位で複数台の表示装置に表示することが好ましい。
【０００４】
また、操作者が視聴者に対して説明を行なう都合上、表示装置に表示された画像データに対して、補足説明として入力情報を反映させたい場合がある。この場合、表示装置はタッチパネルディスプレイを構成するように使用されることが好ましい。
【０００５】
また、操作者が複数存在する場合がある。例えば、複数の操作者（先生）として、教授と助手とがあげられる。複数台の表示装置がタッチパネルディスプレイを構成するように使用され、かつ、画像データをページ単位で複数台の表示装置に表示するような利用形態においては、複数の操作者がそれぞれ複数台の表示装置にタッチすることが可能である。
【０００６】
しかしながら、操作者が複数存在する場合、表示装置に先にタッチした操作者に対して、意図しない処理が行なわれる可能性がある。例えば、並べて配置された複数台の表示装置のうちの３台目の表示装置に、複数の操作者のうちの第１操作者がタッチして、その表示装置に表示された画像データに対してタッチによる入力を行なっている。このときに、複数台の表示装置のうちの１台目の表示装置に、複数の操作者のうちの第２操作者がタッチした場合、第１操作者に対して入力の妨げになる可能性がある。入力の妨げとは、第１操作者が入力を行なっているときに、第２操作者がタッチした後の入力が無効になってしまう場合や、第２操作者のタッチによりページ送りが行なわれた場合に、第１操作者の入力が別のページの画像データに反映されてしまう場合などがあげられる。
【０００７】
したがって、複数台の表示装置がタッチパネルディスプレイを構成するように使用され、かつ、画像データをページ単位で複数台の表示装置に表示するような利用形態において、表示装置に先にタッチした操作者に対して、意図しない処理が行なわれないことが望まれる。
【０００８】
ここで、複数台の表示装置に画像データを表示する技術として、画面キャプチャを用いて、１台目の表示装置に表示された画像データと同じ画像データを２台目の表示装置に表示する技術が、特許文献１に開示されている。
【０００９】
また、１つの画面（表示装置）に対して複数のユーザが同時にタッチした場合に、タッチの優先度に従ってタッチの有効性を判定する技術が、特許文献２に開示されている。
【先行技術文献】
【特許文献】
【００１０】
【特許文献１】特開２０１４−２２８６１号公報
【特許文献２】特開２０１３−２５６２１号公報
【発明の概要】
【発明が解決しようとする課題】
【００１１】
しかしながら、特許文献１に記載された技術では、画面キャプチャを用いて、１台目の表示装置に表示された画像データと同じ画像データを２台目の表示装置に表示するものであるため、視聴者が数ページの画像データを一度に閲覧することはできない。したがって、特許文献１に記載された技術では、画像データをページ単位で複数台の表示装置に表示するものではない。
【００１２】
また、特許文献２に記載された技術では、表示装置がタッチパネルディスプレイを構成するように使用されているが、１台の表示装置に表示された画像データに対して、複数のユーザが同時にタッチした場合に、タッチの優先度に従ってタッチの有効性を判定する技術である。したがって、画像データをページ単位で複数台の表示装置に表示するものではない。
【００１３】
また、特許文献２に記載された技術では、タッチの優先度は、有効なタッチ数であったり、有効な距離であったりする。そのため、タッチの優先度は、表示装置に先にタッチした操作者であるとは限らない。したがって、表示装置に先にタッチした操作者に対して、意図しない処理が行なわれないようにするものでもない。
【００１４】
本発明は、上記従来の問題点に鑑みてなされたものであって、複数台の表示装置がタッチパネルディスプレイを構成するように使用され、かつ、画像データをページ単位で複数台の表示装置に表示するような利用形態において、表示装置に先にタッチした操作者に対して、意図しない処理が行なわれないように複数台の表示装置を制御することができる表示システム、その制御装置、及び、表示方法を提供することを目的とする。
【課題を解決するための手段】
【００１５】
本発明の表示システムは、並べて配置された複数台の表示装置と、前記複数台の表示装置に対して操作者がタッチしたときの入力を検知する複数の入力検知装置と、前記複数台の表示装置と前記複数の入力検知装置とに接続された制御装置と、を具備し、前記制御装置は、複数ページの画像データのうちの、前記複数台の表示装置に対応する表示装置の台数分のページの画像データをそれぞれ前記複数台の表示装置に表示する画像データ表示制御部と、前記複数台の表示装置のうちの、先にタッチされた表示装置をタッチ有効表示装置とし、それ以外の表示装置をタッチ無効表示装置として割り当てるタッチ有無割当制御部と、前記タッチ有効表示装置に表示された画像データに対して、タッチにより入力された情報を表す入力情報を反映させる優先入力反映表示制御部と、を具備することを特徴とする。
【００１６】
本発明の表示システムの制御装置は、並べて配置された複数台の表示装置と、前記複数台の表示装置に対して操作者がタッチしたときの入力を検知する複数の入力検知装置とに接続された表示システムの制御装置であって、複数ページの画像データのうちの、前記複数台の表示装置に対応する表示装置の台数分のページの画像データをそれぞれ前記複数台の表示装置に表示する画像データ表示制御部と、前記複数台の表示装置のうちの、先にタッチされた表示装置をタッチ有効表示装置とし、それ以外の表示装置をタッチ無効表示装置として割り当てる装置割当制御部と、前記タッチ有効表示装置に表示された画像データに対して入力された情報を表す入力情報を反映させる優先入力反映表示制御部と、を具備することを特徴とする。
【００１７】
本発明の表示方法は、複数ページの画像データのうちの、並べて配置された複数台の表示装置に対応する表示装置の台数分のページの画像データをそれぞれ前記複数台の表示装置に表示するステップと、前記複数台の表示装置のうちの、先にタッチされた表示装置をタッチ有効表示装置とし、それ以外の表示装置をタッチ無効表示装置として割り当てるステップと、前記タッチ有効表示装置に表示された画像データに対して入力された情報を表す入力情報を反映させるステップと、を具備することを特徴とする。
【発明の効果】
【００１８】
本発明によれば、複数台の表示装置がタッチパネルディスプレイを構成するように使用され、かつ、画像データをページ単位で複数台の表示装置に表示するような利用形態において、表示装置に先にタッチした操作者に対して、意図しない処理が行なわれないように複数台の表示装置を制御することができる。
【図面の簡単な説明】
【００１９】
【図１】本発明の第１実施形態に係る表示システムの構成を示すブロック図である。
【図２】本発明の第１実施形態に係る表示システムの制御装置３０のテーブル１３０を示す図である。
【図３】本発明の第１実施形態に係る表示システムの構成において、複数台の表示装置１０−１〜１０−４の配置を示す図である。
【図４】本発明の第１実施形態に係る表示システムの構成において、複数台の表示装置１０−１〜１０−４にタッチする操作者１０１を示す図である。
【図５】本発明の第１実施形態に係る表示システムの動作（表示処理）を示すフローチャートである。
【図６】図５の画像データ表示処理（ステップＳ１０）において、複数台の表示装置１０−１〜１０−４に表示される内容（画像データ）を示す図である。
【図７】図５のタッチ順序判定処理（ステップＳ３０）を示すフローチャートである。
【図８】図５のタッチ順序判定処理（ステップＳ３０）を示すフローチャートである。
【図９】図５のタッチ有無割当処理（ステップＳ４０）において、テーブル１３０に格納される内容（タッチ順序情報）を示す図である。
【図１０】図５の入力反映表示処理（ステップＳ５０）において、複数台の表示装置１０−１〜１０−４に表示される内容（画像データ、入力情報）を示す図である。
【図１１】本発明の第２実施形態に係る表示システムの構成を示すブロック図である。
【図１２】本発明の第２実施形態に係る表示システムの動作（表示処理）を示すフローチャートである。
【図１３】図１２の入力反映表示処理（ステップＳ２５０）を示すフローチャートである。
【図１４】図１３の入力無効通知表示処理（ステップＳ２５２）において、複数台の表示装置１０−１〜１０−４に表示される内容（画像データ、入力情報、入力無効通知）を示す図である。
【図１５】本発明の第３実施形態に係る表示システムの構成を示すブロック図である。
【図１６】本発明の第３実施形態に係る表示システムの動作（表示処理）を示すフローチャートである。
【図１７】図１６の入力反映表示処理（ステップＳ３５０）を示すフローチャートである。
【図１８】図１７の優先入力反映表示処理（ステップＳ３５１）において、複数台の表示装置１０−１〜１０−４に表示される内容（画像データ、入力情報）を示す図である。
【図１９】図１７の次入力情報格納処理（ステップＳ３５３）において、テーブル１３０に格納される内容（タッチ順序情報、入力情報）を示す図である。
【図２０】図１７の次入力反映表示処理（ステップＳ３５４）において、複数台の表示装置１０−１〜１０−４に表示される内容（画像データ、入力情報）を示す図である。
【発明を実施するための形態】
【００２０】
以下、図面を参照しながら本発明の実施形態について説明する。
【００２１】
［第１実施形態］
図１は、本発明の第１実施形態に係る表示システムの構成を示すブロック図である。図１に示されるように、本発明の第１実施形態に係る表示システムは、複数台の表示装置１０と、複数の入力検知装置２０と、制御装置３０と、を具備している。
【００２２】
複数台の表示装置１０は、図示しないＬＣＤ（Liquid Crystal Display）である。本実施形態では、複数台の表示装置１０は、例えば、１〜４台目の表示装置１０−１〜１０−４であるものとする。
【００２３】
複数の入力検知装置２０は、タッチパネルである。本実施形態では、複数の入力検知装置２０は、入力検知装置２０−１〜２０−４であるものとする。操作者（先生）が視聴者（生徒）に対して説明を行なう都合上、表示装置に表示された画像データに対して、補足説明として入力情報を反映させたい場合がある。この場合、複数台の表示装置１０−１〜１０−４はタッチパネルディスプレイを構成するように使用されることが好ましい。複数の入力検知装置２０−１〜２０−４は、これを実現する。
【００２４】
複数の入力検知装置２０−１〜２０−４は、それぞれ複数台の表示装置１０−１〜１０−４に設けられている。すなわち、複数台の表示装置１０−１〜１０−４は、それぞれ、自身のＬＣＤと、複数の入力検知装置２０−１〜２０−４（タッチパネル）とにより、タッチパネルディスプレイとして使用される。複数の入力検知装置２０−１〜２０−４は、それぞれ、操作者が複数台の表示装置１０−１〜１０−４に対して指先またはペン先により文字等を入力したとき、複数台の表示装置１０−１〜１０−４に対する操作者の入力を検知する。
【００２５】
複数の入力検知装置２０−１〜２０−４としては、静電容量センサや、光センサが例示される。静電容量センサは、例えば、複数台の表示装置１０−１〜１０−４のＬＣＤにマトリクス状に配置され、そのＬＣＤに所定距離以下に近接した指示媒体（ペン先または操作者の指先）を検出する。光センサは、複数台の表示装置１０−１〜１０−４のＬＣＤの各画素に内蔵されることによりマトリクス状に配置され、そのＬＣＤに接触する指示媒体（ペン先または操作者の指先）を検出する。
【００２６】
制御装置３０は、複数台の表示装置１０−１〜１０−４と、入力検知装置２０とに接続されている。この制御装置３０は、記憶部３１と、制御部３２とを具備している。制御部３２は、ＣＰＵ（Central Processing Unit）であり、入力検知装置２０、複数台の表示装置１０−１〜１０−４を制御する。記憶部３１にはコンピュータプログラムが格納され、制御部３２は、そのコンピュータプログラムを実行する。
【００２７】
記憶部３１は、後述するテーブル１３０を備えている。
【００２８】
制御部３２は、画像データ表示制御部１３１と、タッチ有無割当制御部１３２と、優先入力反映表示制御部１３３と、ページ操作制御部１３４とを備えている。
【００２９】
画像データ表示制御部１３１は、複数ページの画像データのうちの、複数台の表示装置１０−１〜１０−４に対応する表示装置１０の台数分のページの画像データをそれぞれ複数台の表示装置１０−１〜１０−４に表示する。
【００３０】
タッチ有無割当制御部１３２は、複数台の表示装置１０−１〜１０−４のうちの、先にタッチされた表示装置をタッチ有効表示装置とし、それ以外の表示装置をタッチ無効表示装置として割り当てる。
【００３１】
優先入力反映表示制御部１３３は、タッチ有効表示装置に表示された画像データに対して、タッチにより入力された情報を表す入力情報を反映させる。
【００３２】
ページ操作制御部１３４は、複数台の表示装置１０−１〜１０−４に表示された台数分のページの画像データに対して、操作者のタッチによりページ操作（ページ送り、または、ページ戻し）を行なう。
【００３３】
図２は、本発明の第１実施形態に係る表示システムの制御装置３０のテーブル１３０を示す図である。テーブル１３０には、複数台の表示装置１０−１〜１０−４のそれぞれを識別するための複数の表示装置識別情報ＩＤ１０−１〜ＩＤ１０−４が格納されている。また、テーブル１３０には、タッチ順序情報が格納される。タッチ順序情報については後述する。
【００３４】
図３は、本発明の第１実施形態に係る表示システムの構成において、複数台の表示装置１０−１〜１０−４の配置を示す図である。
【００３５】
図３に示されるように、複数台の表示装置１０−１〜１０−４は、部屋（教室）１０００の第１の壁の近くに、左右方向に一列に並んで配置されている。具体的には、複数台の表示装置１０−１〜１０−４は、この順番で左から右に並べて配置されている。例えば、机１０１０及び椅子（図示しない）は、１台目の表示装置１０−１の両端のうちの、表示装置が設けられていない端部の付近に配置され、操作者（先生）１０１により使用される。机１０２０及び椅子（図示しない）は、複数台の表示装置１０−１〜１０−４と、部屋１０００の第１の壁に対向する第２の壁との間に、最前列から最後列まで配置され、１列あたり数名の視聴者（生徒）１０２により使用される。
【００３６】
図４は、本発明の第１実施形態に係る表示システムの構成において、複数台の表示装置１０−１〜１０−４にタッチする操作者１０１を示す図である。
【００３７】
図４に示されるように、操作者１０１が複数存在する場合がある。例えば、複数の操作者１０１（先生）として、教授と助手とがあげられる。ここで、複数の操作者１０１のうちの、操作者１０１Ｃは教授であり、それ以外の操作者１０１Ａ、１０１Ｂ、１０１Ｄは助手であるものとする。複数台の表示装置１０−１〜１０−４がタッチパネルディスプレイを構成するように使用され、かつ、画像データをページ単位で複数台の表示装置１０−１〜１０−４に表示するような利用形態においては、複数の操作者１０１Ａ、１０１Ｂ、１０１Ｃ、１０１Ｄがそれぞれ複数台の表示装置１０−１〜１０−４にタッチすることが可能である。
【００３８】
次に、本発明の第１実施形態に係る表示システムの動作（表示処理）について、図５〜１０を用いて説明する。
【００３９】
図５は、本発明の第１実施形態に係る表示システムの動作（表示処理）を示すフローチャートである。図６は、図５の画像データ処理（ステップＳ１０）において、複数台の表示装置１０−１〜１０−４に表示される内容（画像データ）を示す図である。図７、８は、図５のタッチ順序判定処理（ステップＳ３０）を示すフローチャートである。図９は、図５のタッチ有無割当処理（ステップＳ４０）において、テーブル１３０に格納される内容（タッチ順序情報）を示す図である。図１０は、図５の入力反映表示処理（ステップＳ５０）において、複数台の表示装置１０−１〜１０−４に表示される内容（画像データ、入力情報）を示す図である。
【００４０】
例えば、操作者１０１Ａ、１０１Ｂ、１０１Ｃ、１０１Ｄ（図４）は、視聴者に対して授業で使うための教材として、複数ページの画像データを用いる。複数ページの画像データは、記憶部３１（図１）に格納されている。または、複数ページの画像データは、制御装置３０（図１）に入力され、制御部３２（図１）は、その複数ページの画像データを記憶部３１（図１）に格納する。図６に示されるように、複数ページの画像データは、アルファベット表記による文書「Ａ」、「Ｂ」、「Ｃ」、「Ｄ」、…を表している。
【００４１】
まず、操作者は、制御装置３０（図１）に対して、記憶部３１（図１）に格納された複数ページの画像データのうちの１ページ目の画像データ「Ａ」（図６）を表示するための表示指示を行なう。このとき、図５に示されるように、画像データ表示制御部１３１（図１）は、画像データ表示処理を実行する（ステップＳ１０）。
【００４２】
ステップＳ１０（画像データ表示処理）において、図６に示されるように、画像データ表示制御部１３１（図１）は、複数ページの画像データのうちの、１〜４ページ目の画像データ「Ａ」、「Ｂ」、「Ｃ」、「Ｄ」を複数台の表示装置１０−１〜１０−４に表示する。
【００４３】
操作者１０１Ａ、１０１Ｂ、１０１Ｃ、１０１Ｄ（図４）が、複数台の表示装置１０−１〜１０−４（図６）に対して、一定時間以上、タッチしない場合（図５のステップＳ２０−Ｎｏ）、図５に示されるように、本発明の第１実施形態に係る表示システムの動作（表示処理）は、ステップ６０に移行する。
【００４４】
一方、図６に示されるように、操作者１０１Ｃは、表示装置１０−３に対して、一定時間以内に、指先またはペン先によりタッチして、文字等を入力する（図５のステップＳ２０−Ｙｅｓ）。このとき、入力検知装置２０−３（図１）は、表示装置１０−３（図６）に対して操作者１０１Ｃがタッチしたときの入力を検知し、入力情報を生成する。このとき、図５に示されるように、タッチ有無割当制御部１３２（図１）は、タッチ順序判定処理を実行する（ステップＳ３０）。
【００４５】
ステップＳ３０（タッチ順序判定処理）において、タッチ有無割当制御部１３２（図１）は、指先またはペン先を判定する。例えば、表示装置１０−３（図６）に入力された線の幅が第１設定値未満である場合、タッチ有無割当制御部１３２（図１）は、ペン先であるものと判定する。一方、表示装置１０−３（図６）に入力された線の幅が第１設定値以上であり、かつ、第１設定値よりも大きい第２設定値以下である場合、タッチ有無割当制御部１３２（図１）は、指先であるものと判定する。
【００４６】
ステップＳ３０（タッチ順序判定処理）において、指先またはペン先に優先度がない場合、図７に示されるように、タッチ有無割当制御部１３２（図１）は、操作者１０１Ｃ（図６）の指によって、または、操作者１０１Ｃ（図６）が使用するペンによって、先にタッチされた表示装置１０−３（図６）を後述のタッチ有効表示装置とする（ステップＳ１３１）。
【００４７】
ステップＳ３０（タッチ順序判定処理）において、ペン先を優先する場合、図８に示されるように、タッチ有無割当制御部１３２（図１）は、操作者１０１Ｃ（図６）が使用するペンによって、先にタッチされた表示装置１０−３（図６）をタッチ有効表示装置とする（ステップＳ１３０−Ｙｅｓ、Ｓ１３２）。一方、タッチ有無割当制御部１３２（図１）は、ペンによるタッチがない場合、操作者１０１Ｃの指によって、先にタッチされた表示装置１０−３（図６）を後述のタッチ有効表示装置とする（ステップＳ１３０−Ｎｏ、Ｓ１３１）。
【００４８】
その後、図５に示されるように、タッチ有無割当制御部１３２（図１）は、タッチ有無割当処理を実行する（ステップＳ４０）。ここで、図６に示されるように、操作者１０１Ｃが、表示装置１０−３に表示された画像データ「Ｃ」に対して入力情報を入力しているときに、操作者１０１Ａが表示装置１０−１にタッチしたものとする。
【００４９】
ステップＳ４０（タッチ有無割当処理）において、タッチ有無割当制御部１３２（図１）は、複数台の表示装置１０−１〜１０−４（図６）のうちの、操作者１０１Ｃ（図６）により先にタッチされた表示装置１０−３（図６）をタッチ有効表示装置とし、それ以外の表示装置１０−１、１０−２、１０−４（図６）をタッチ無効表示装置として割り当てる。このとき、図９に示されるように、タッチ有無割当制御部１３２（図１）は、表示装置１０−３（図６）がタッチ有効表示装置であることを示すタッチ順序情報「１」を、表示装置識別情報ＩＤ１０−３に対応付けて、テーブル１３０に格納する。また、図９に示されるように、タッチ有無割当制御部１３２（図１）は、表示装置１０−１、１０−２、１０−４（図６）がタッチ無効表示装置であることを示すタッチ順序情報「０」を、表示装置識別情報ＩＤ１０−１、ＩＤ１０−２、ＩＤ１０−４に対応付けて、テーブル１３０に格納する。
【００５０】
すなわち、ステップＳ４０（タッチ有無割当処理）において、表示装置１０−１（図６）も表示装置１０−３（図６）もタッチされているが、表示装置１０−３（図６）は先にタッチされているので、タッチ有効表示装置として割り当てられ、表示装置１０−１（図６）は、表示装置１０−３（図６）の後にタッチされているので、タッチ無効表示装置として割り当てられる。
【００５１】
その後、図５に示されるように、優先入力反映表示制御部１３３（図１）は、入力反映表示処理を実行する（ステップＳ５０）。
【００５２】
ステップＳ５０（入力反映表示処理）において、優先入力反映表示制御部１３３（図１）は、テーブル１３０（図９）に格納されたタッチ順序情報「１」を参照することにより、表示装置１０−３（図６）がタッチ有効表示装置であることを認識する。図１０に示されるように、優先入力反映表示制御部１３３（図１）は、表示装置１０−３（タッチ有効表示装置）に表示された画像データ「Ｃ」に対して、タッチにより入力された情報「△△△」を表す入力情報１１３を反映させる。図１０に示されるように、この入力情報１１３「△△△」は、入力検知装置２０−３（図１）により生成された情報であり、操作者１０１Ｃにより入力された情報として、表示装置１０−３（タッチ有効表示装置）に表示された画像データ「Ｃ」に対する説明文「△△△」を表している。
【００５３】
また、ステップＳ５０（入力反映表示処理）において、優先入力反映表示制御部１３３（図１）は、テーブル１３０（図９）に格納されたタッチ順序情報「０」を参照することにより、表示装置１０−１、１０−２、１０−４（図６）がタッチ無効表示装置であることを認識する。図１０に示されるように、優先入力反映表示制御部１３３（図１）は、表示装置１０−１（タッチ無効表示装置）に表示された画像データ「Ａ」に対して、タッチによる入力を反映させない。
【００５４】
その後、図５に示されるように、本発明の第１実施形態に係る表示システムの動作（表示処理）は、ステップ６０に移行する。
【００５５】
操作者１０１Ａ、１０１Ｂ、１０１Ｃ、１０１Ｄ（図４）が、一定時間以上、ページ操作を行なわない場合、図５に示されるように、本発明の第１実施形態に係る表示システムの動作（表示処理）は、ステップ８０に移行する。ここで、画像データの表示を終了する場合は（ステップＳ８０−Ｙｅｓ）、図５に示されるように、本発明の第１実施形態に係る表示システムの動作（表示処理）は終了する。画像データの表示を終了しない場合は（ステップＳ８０−Ｎｏ）、上述のステップＳ１０が行なわれる。
【００５６】
一方、操作者１０１Ｃ（図４）は、ページ操作（ページ送り、または、ページ戻し）を行なう。ページ操作（ページ送り、または、ページ戻し）は、タッチしてスライド（またはフリック）する操作である。ページ操作（ページ送り、または、ページ戻し）が操作者（例えば、操作者１０１Ｃ）により行なわれた場合、複数ページの画像データのうちの、ページ操作に応じてシフトさせた画像データをそれぞれ複数台の表示装置１０−１〜１０−４に表示する。
【００５７】
以上の説明により、本発明の第１実施形態に係る表示システムは、図１〜１０に示されるように、並べて配置された複数台の表示装置１０−１〜１０−４と、複数台の表示装置１０−１〜１０−４に対して操作者１０１Ａ、１０１Ｂ、１０１Ｃ、１０１Ｄがタッチしたときの入力を検知する複数の入力検知装置２０−１〜２０−４と、複数台の表示装置１０−１〜１０−４と複数の入力検知装置２０−１〜２０−４とに接続された制御装置３０と、を具備している。制御装置３０は、複数ページの画像データのうちの、複数台の表示装置１０−１〜１０−４に対応する表示装置１０の台数分のページの画像データ「Ａ」、「Ｂ」、「Ｃ」、「Ｄ」をそれぞれ複数台の表示装置１０−１〜１０−４に表示する画像データ表示制御部１３１と、複数台の表示装置１０−１〜１０−４のうちの、先にタッチされた表示装置１０−３をタッチ有効表示装置とし、それ以外の表示装置１０−１、１０−２、１０−４をタッチ無効表示装置として割り当てるタッチ有無割当制御部１３２と、表示装置１０−３（タッチ有効表示装置）に表示された画像データ「Ｃ」に対して、タッチにより入力された情報を表す入力情報１１３「△△△」を反映させる優先入力反映表示制御部１３３と、を具備している。
【００５８】
また、本発明の第１実施形態に係る表示システムでは、図７に示されるように、表示装置１０−３（タッチ有効表示装置）は、操作者１０１Ｃの指によって、または、操作者１０１Ｃが使用するペンによって、先にタッチされた表示装置である。この場合、タッチ操作は、ピンチ操作（ピンチイン操作またはピンチアウト操作）を最優先してもよい。例えば、表示装置１０−３に表示された画像データ「Ｃ」は、表示画像またはウインドウを表していて、操作者１０１Ｃの指によって、表示画像またはウインドウに対して、縮小表示または拡大表示するためのピンチイン操作またはピンチアウト操作が行なわれた場合、表示装置１０−３（タッチ有効表示装置）は、このピンチ操作（ピンチイン操作またはピンチアウト操作）が先に行なわれた表示装置である。
【００５９】
また、本発明の第１実施形態に係る表示システムでは、図８に示されるように、表示装置１０−３（タッチ有効表示装置）は、操作者１０１Ｃが使用するペンによって、先にタッチされた表示装置であり、ペンによるタッチがない場合、表示装置１０−３（タッチ有効表示装置）は、操作者１０１Ｃの指によって、先にタッチされた表示装置である。この場合でも、タッチ操作は、ピンチ操作（ピンチイン操作またはピンチアウト操作）を最優先してもよい。例えば、表示装置１０−３に表示された画像データ「Ｃ」は、表示画像またはウインドウを表していて、操作者１０１Ｃの指によって、表示画像またはウインドウに対して、縮小表示または拡大表示するためのピンチイン操作またはピンチアウト操作が行なわれた場合、表示装置１０−３（タッチ有効表示装置）は、このピンチ操作（ピンチイン操作またはピンチアウト操作）が先に行なわれた表示装置である。
【００６０】
このように、本発明の第１実施形態に係る表示システムによれば、複数台の表示装置１０−１〜１０−４がタッチパネルディスプレイを構成するように使用され、かつ、画像データ「Ａ」、「Ｂ」、「Ｃ」、「Ｄ」をページ単位で複数台の表示装置１０−１〜１０−４に表示するような利用形態において、表示装置１０−３（タッチ有効表示装置）に先にタッチした操作者１０１Ｃに対して、意図しない処理が行なわれないように複数台の表示装置１０−１〜１０−４を制御することができる。
【００６１】
［第２実施形態］
本発明の第２実施形態に係る表示システムでは、第１実施形態からの変更点を説明する。
【００６２】
図１１は、本発明の第２実施形態に係る表示システムの構成を示すブロック図である。制御装置３０において、制御部３２は、更に、入力無効通知表示制御部２３１を備えている。
【００６３】
入力無効通知表示制御部２３１は、表示装置１０−３（タッチ有効表示装置）に対して入力情報１１３「△△△」が入力されている場合、表示装置１０−３（タッチ有効表示装置）への入力が優先され、かつ、表示装置１０−１、１０−２、１０−４（タッチ無効表示装置）への入力が無効である旨を表す入力無効通知を、表示装置１０−１、１０−２、１０−４（タッチ無効表示装置）に表示する。
【００６４】
次に、本発明の第２実施形態に係る表示システムの動作（表示処理）について、図１２〜１４を用いて説明する。
【００６５】
図１２は、本発明の第２実施形態に係る表示システムの動作（表示処理）を示すフローチャートである。図１３は、図１２の入力反映表示処理（ステップＳ２５０）を示すフローチャートである。図１４は、図１３の入力無効通知表示処理（ステップＳ２５２）において、複数台の表示装置１０−１〜１０−４に表示される内容（画像データ、入力情報、入力無効通知）を示す図である。
【００６６】
制御装置３０において、図１２に示されるように、前述のステップＳ１０〜Ｓ４０が実行される。その後、図１２に示されるように、入力反映表示処理が実行される（ステップＳ２５０）。
【００６７】
ステップＳ２５０（入力反映表示処理）において、図１３に示されるように、優先入力反映表示制御部１３３（図１１）は、優先入力反映表示処理を実行する（ステップＳ２５１）。
【００６８】
ステップＳ２５１（優先入力反映表示処理）において、優先入力反映表示制御部１３３（図１１）は、テーブル１３０（図９）に格納されたタッチ順序情報「１」を参照することにより、表示装置１０−３（図１４）がタッチ有効表示装置であることを認識する。図１４に示されるように、優先入力反映表示制御部１３３（図１１）は、表示装置１０−３（タッチ有効表示装置）に表示された画像データ「Ｃ」に対して、タッチにより入力された情報「△△△」を表す入力情報１１３を反映させる。
【００６９】
また、ステップＳ２５１（優先入力反映表示処理）において、優先入力反映表示制御部１３３（図１１）は、テーブル１３０（図９）に格納されたタッチ順序情報「０」を参照することにより、表示装置１０−１、１０−２、１０−４（図１４）がタッチ無効表示装置であることを認識する。図１４に示されるように、優先入力反映表示制御部１３３（図１１）は、表示装置１０−１（タッチ無効表示装置）に表示された画像データ「Ａ」に対して、タッチによる入力を反映させない。
【００７０】
同時に、ステップＳ２５０（入力反映表示処理）において、図１３に示されるように、入力無効通知表示制御部２３１（図１１）は、入力無効通知表示処理を実行する（ステップＳ２５２）。
【００７１】
ステップＳ２５２（入力無効通知表示処理）において、入力無効通知表示制御部２３１（図１１）は、テーブル１３０（図９）に格納されたタッチ順序情報「０」を参照することにより、表示装置１０−１、１０−２、１０−４（図１４）がタッチ無効表示装置であることを認識する。図１４に示されるように、操作者１０１Ｃが、表示装置１０−３（タッチ有効表示装置）に表示された画像データ「Ｃ」に対して入力情報１１３「△△△」を入力している。この場合、図１４に示されるように、入力無効通知表示制御部２３１（図１１）は、入力無効通知２００を、表示装置１０−１、１０−２、１０−４（タッチ無効表示装置）に表示する。入力無効通知２００は、表示装置１０−３（タッチ有効表示装置）への入力が優先され、かつ、表示装置１０−１、１０−２、１０−４（タッチ無効表示装置）への入力が無効である旨として、例えば、「３番目のディスプレイで入力中」を表している。図１４に示されるように、入力無効通知２００「３番目のディスプレイで入力中」は、表示装置１０−１、１０−２、１０−４（タッチ無効表示装置）に表示された画像データ「Ａ」、「Ｂ」、「Ｄ」上に表示される。
【００７２】
その後、制御装置３０において、図１２に示されるように、前述のステップＳ６０〜Ｓ８０が実行される。
【００７３】
以上の説明により、本発明の第２実施形態に係る表示システムは、図１１〜１４に示されるように、制御装置３０は、表示装置１０−３（タッチ有効表示装置）に対して入力情報１１３「△△△」が入力されている場合、表示装置１０−３（タッチ有効表示装置）への入力が優先され、かつ、表示装置１０−１、１０−２、１０−４（タッチ無効表示装置）への入力が無効である旨を表す入力無効通知２００を、表示装置１０−１、１０−２、１０−４（タッチ無効表示装置）に表示する入力無効通知表示制御部２３１、を更に具備している。
【００７４】
このように、本発明の第２実施形態に係る表示システムによれば、表示装置１０−１、１０−２、１０−４（タッチ無効表示装置）に入力無効通知２００を表示することにより、操作者１０１Ｃよりも後に表示装置１０−１にタッチした操作者１０１Ａや、表示装置１０−２、１０−４にこれからタッチしようとする操作者１０１Ｂ、１０１Ｄは、操作者１０１Ｃのタッチが優先され、かつ、自身の入力が無効であることを把握することができる。
【００７５】
［第３実施形態］
本発明の第３実施形態に係る表示システムでは、第１実施形態からの変更点を説明する。
【００７６】
図１５は、本発明の第３実施形態に係る表示システムの構成を示すブロック図である。
【００７７】
制御装置３０において、制御部３２は、更に、タッチ候補割当制御部３３１と、次入力情報格納制御部３３２と、次入力反映表示制御部３３３とを備えている。
【００７８】
タッチ候補割当制御部３３１は、表示装置１０−３（タッチ有効表示装置）に対して入力情報１１３「△△△」が入力されているときに、表示装置１０−１、１０−２、１０−４（タッチ無効表示装置）のうちの、次にタッチされた表示装置１０−１をタッチ候補表示装置として割り当てる。
【００７９】
次入力情報格納制御部３３２は、表示装置１０−１（タッチ候補表示装置）に表示された画像データに対して次の入力情報が入力された場合、複数の表示装置識別情報ＩＤ１０−１〜ＩＤ１０−４のうちの、表示装置１０−１（タッチ候補表示装置）を表す表示装置識別情報ＩＤ１０−１に対応付けて、次の入力情報を記憶部３１のテーブル１３０に格納する。
【００８０】
次入力反映表示制御部３３３は、表示装置１０−３（タッチ有効表示装置）に対する入力情報１１３「△△△」の入力が終了した場合、テーブル１３０に格納された次の入力情報を読み出して、表示装置１０−１（タッチ候補表示装置）に表示された画像データに対して反映させる。
【００８１】
次に、本発明の第３実施形態に係る表示システムの動作（表示処理）について、図１６〜２０を用いて説明する。
【００８２】
図１６は、本発明の第３実施形態に係る表示システムの動作（表示処理）を示すフローチャートである。図１７は、図１６の入力反映表示処理（ステップＳ３５０）を示すフローチャートである。図１８は、図１７の優先入力反映表示処理（ステップＳ３５１）において、複数台の表示装置１０−１〜１０−４に表示される内容（画像データ、入力情報）を示す図である。図１９は、図１７の次入力情報格納処理（ステップＳ３５３）において、テーブル１３０に格納される内容（タッチ順序情報、入力情報）を示す図である。図２０は、図１７の次入力反映表示処理（ステップＳ３５４）において、複数台の表示装置１０−１〜１０−４に表示される内容（画像データ、入力情報）を示す図である。
【００８３】
制御装置３０において、図１６に示されるように、前述のステップＳ１０〜Ｓ４０が実行される。その後、図１６に示されるように、入力反映表示処理が実行される（ステップＳ３５０）。
【００８４】
ステップＳ３５０（入力反映表示処理）において、図１７に示されるように、優先入力反映表示制御部１３３（図１５）は、優先入力反映表示処理を実行する（ステップＳ３５１）。
【００８５】
ステップＳ３５１（優先入力反映表示処理）において、優先入力反映表示制御部１３３（図１５）は、テーブル１３０（図９）に格納されたタッチ順序情報「１」を参照することにより、表示装置１０−３（図１８）がタッチ有効表示装置であることを認識する。図１８に示されるように、優先入力反映表示制御部１３３（図１５）は、表示装置１０−３（タッチ有効表示装置）に表示された画像データ「Ｃ」に対して、タッチにより入力された情報「△△△」を表す入力情報１１３を反映させる。
【００８６】
また、ステップＳ３５１（優先入力反映表示処理）において、優先入力反映表示制御部１３３（図１５）は、テーブル１３０（図９）に格納されたタッチ順序情報「０」を参照することにより、表示装置１０−１、１０−２、１０−４（図１４）がタッチ無効表示装置であることを認識する。図１８に示されるように、優先入力反映表示制御部１３３（図１５）は、表示装置１０−１（タッチ無効表示装置）に表示された画像データ「Ａ」に対して、タッチによる入力を反映させない。
【００８７】
その後、ステップＳ３５０（入力反映表示処理）において、図１７に示されるように、タッチ候補割当制御部３３１（図１５）は、タッチ候補割当処理を実行する（ステップＳ３５２）。
【００８８】
ステップＳ３５２（タッチ候補割当処理）において、タッチ候補割当制御部３３１（図１５）は、テーブル１３０（図９）に格納されたタッチ順序情報「０」を参照することにより、表示装置１０−１、１０−２、１０−４（図１８）がタッチ無効表示装置であることを認識する。図１８に示されるように、操作者１０１Ｃが、表示装置１０−３（タッチ有効表示装置）に表示された画像データ「Ｃ」に対して入力情報１１３「△△△」を入力しているときに、操作者１０１Ａが、表示装置１０−１、１０−２、１０−４（タッチ無効表示装置）のうちの、表示装置１０−１にタッチする。この場合、タッチ候補割当制御部３３１（図１５）は、表示装置１０−１、１０−２、１０−４（タッチ無効表示装置）のうちの、次にタッチされた表示装置１０−１をタッチ候補表示装置として割り当てる。このとき、図１９に示されるように、タッチ候補割当制御部３３１（図１５）は、表示装置１０−１がタッチ無効表示装置であることを示すタッチ順序情報「０」に代えて、表示装置１０−１がタッチ候補表示装置であることを示すタッチ順序情報「２」を、表示装置識別情報ＩＤ１０−１に対応付けて、テーブル１３０に格納する。
【００８９】
その後、ステップＳ３５０（入力反映表示処理）において、図１７に示されるように、次入力情報格納制御部３３２（図１５）は、次入力情報格納処理を実行する（ステップＳ３５３）。
【００９０】
ステップＳ３５３（次入力情報格納処理）において、図１８に示されるように、操作者１０１Ｃが、表示装置１０−３（タッチ有効表示装置）に表示された画像データ「Ｃ」に対して入力情報１１３「△△△」を入力しているときに、操作者１０１Ａが、タッチ候補表示装置１０−１に表示された画像データ「Ａ」に対して、タッチにより入力された情報「○○○」を入力したものとする。この場合、図１９に示されるように、次入力情報格納制御部３３２（図１５）は、情報「○○○」を、入力情報１１１として、表示装置識別情報ＩＤ１０−１とタッチ順序情報「２」とに対応付けて、テーブル１３０に格納する。
【００９１】
その後、ステップＳ３５０（入力反映表示処理）において、図１７に示されるように、次入力反映表示制御部３３３（図１５）は、次入力反映表示処理を実行する（ステップＳ３５４）。
【００９２】
ステップＳ３５４（次入力反映表示処理）において、図１８に示されるように、操作者１０１Ｃが、表示装置１０−３（タッチ有効表示装置）に表示された画像データ「Ｃ」に対して入力情報１１３「△△△」を入力し終えたものとする。この場合、次入力反映表示制御部３３３（図１５）は、テーブル１３０（図１９）に格納されたタッチ順序情報「２」を参照することにより、表示装置１０−１（図１８）がタッチ候補表示装置であることを認識する。この場合、図２０に示されるように、次入力反映表示制御部３３３（図１５）は、表示装置識別情報ＩＤ１０−１とタッチ順序情報「２」とに対応付けてテーブル１３０（図１９）に格納された入力情報１１１「○○○」を読み出して、タッチ候補表示装置１０−１に表示された画像データ「Ａ」に対して、読み出された入力情報１１１「○○○」を反映させる。
【００９３】
その後、制御装置３０において、図１６に示されるように、前述のステップＳ６０〜Ｓ８０が実行される。
【００９４】
以上の説明により、本発明の第３実施形態に係る表示システムは、図１５〜２０に示されるように、制御装置３０は、複数台の表示装置１０−１〜１０−４のそれぞれを識別するための複数の表示装置識別情報ＩＤ１０−１〜ＩＤ１０−４が格納された記憶部３１（テーブル１３０）と、表示装置１０−３（タッチ有効表示装置）に対して入力情報１１３「△△△」が入力されているときに、表示装置１０−１、１０−２、１０−４（タッチ無効表示装置）のうちの、次にタッチされた表示装置１０−１をタッチ候補表示装置として割り当てるタッチ候補割当制御部３３１と、表示装置１０−１（タッチ候補表示装置）に表示された画像データ「Ａ」に対して次の入力情報１１１「○○○」が入力された場合、複数の表示装置識別情報ＩＤ１０−１〜ＩＤ１０−４のうちの、表示装置１０−１（タッチ候補表示装置）を表す表示装置識別情報ＩＤ１０−１に対応付けて、次の入力情報１１１「○○○」を記憶部３１（テーブル１３０）に格納する次入力情報格納制御部３３２と、表示装置１０−３（タッチ有効表示装置）に対する入力情報１１３「△△△」の入力が終了した場合、記憶部３１（テーブル１３０）に格納された次の入力情報１１１「○○○」を読み出して、表示装置１０−１（タッチ候補表示装置）に表示された画像データ「Ａ」に対して反映させる次入力反映表示制御部３３３と、を更に具備している。
【００９５】
このように、本発明の第３実施形態に係る表示システムによれば、表示装置１０−３（タッチ有効表示装置）に対する入力情報１１３「△△△」の入力が終了したときに、表示装置１０−１（タッチ候補表示装置）に対する入力情報１１１「○○○」を表示することにより、操作者１０１Ｃによる入力情報１１３「△△△」の入力についても、操作者１０１Ａによる入力情報１１１「○○○」の入力についても、タッチの順に、表示装置１０−３（タッチ有効表示装置）、表示装置１０−１（タッチ候補表示装置）に反映させることができる。
【００９６】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００９７】
１０  …  表示装置
１０−１  …  表示装置
１０−２  …  表示装置
１０−３  …  表示装置
１０−４  …  表示装置
２０  …  入力検知装置
２０−１  …  入力検知装置
２０−２  …  入力検知装置
２０−３  …  入力検知装置
２０−４  …  入力検知装置
３０  …  制御装置
３１  …  記憶部
３２  …  制御部
１０１  …  操作者（先生）
１０１Ａ  …  操作者（助手）
１０１Ｂ  …  操作者（助手）
１０１Ｃ  …  操作者（教授）
１０１Ｄ  …  操作者（助手）
１０２  …  視聴者（生徒）
１１１  …  入力情報
１１３  …  入力情報
１３１  …  画像データ表示制御部
１３２  …  タッチ有無割当制御部
１３３  …  優先入力反映表示制御部
１３４  …  ページ操作制御部
２３１  …  入力無効通知表示制御部
３３１  …  タッチ候補割当制御部
３３２  …  次入力情報格納制御部
３３３  …  次入力反映表示制御部
１０００  …  部屋（教室）
１０１０  …  机（先生用）
１０２０  …  机（生徒用）
【図１】
0006470098.tif 000002
【図２】
0006470098.tif 000003
【図３】
0006470098.tif 000004
【図４】
0006470098.tif 000005
【図５】
0006470098.tif 000006
【図６】
0006470098.tif 000007
【図７】
0006470098.tif 000008
【図８】
0006470098.tif 000009
【図９】
0006470098.tif 000010
【図１０】
0006470098.tif 000011
【図１１】
0006470098.tif 000012
【図１２】
0006470098.tif 000013
【図１３】
0006470098.tif 000014
【図１４】
0006470098.tif 000015
【図１５】
0006470098.tif 000016
【図１６】
0006470098.tif 000017
【図１７】
0006470098.tif 000018
【図１８】
0006470098.tif 000019
【図１９】
0006470098.tif 000020
【図２０】
0006470098.tif 000021